(57)【要約】      （修正有）【課題】シャワーヘッドを手で持ったり、動かしたりすることなく、理想的な頭髪並びに頭皮の洗浄を行うことができるのみならず、そのような頭髪及び頭皮の洗浄を簡単にかつ短時間で行うことができる頭髪及び頭皮の洗浄にきわめて好適なシャワーヘッドを提供すること。【解決手段】ノズル孔３３ａが洗浄される頭の頭頂部を向いた第一のノズル部材３０ａと、ノズル孔が前頭部を向いた第二のノズル部材と、ノズル孔３３ｂが後頭部に向いた第三のノズル部材３０ｂと、前記の各ノズル部材３０ａ〜３０ｄが頭の外形に沿った凹球面に装着されていると共に各ノズル部材３０ａ〜30ｄのノズル孔３３ａ〜３３ｄに洗浄液を送る通路となるチャンバ５０を有するヘッド本体１３とを備えていること。【選択図】図３
0003113648.tif 000002
【実用新案登録請求の範囲】
【請求項１】
ノズル孔が洗浄される頭の頭頂部を向いた第一のノズル部材と、ノズル孔が前頭部を向いた第二のノズル部材と、ノズル孔が後頭部に向いた第三のノズル部材と、前記の各ノズル部材が頭の外形に沿った凹球面に装着されていると共に各ノズル部材のノズル孔に洗浄液を送る通路となるチャンバを有するヘッド本体とを備えていることを特徴とする頭髪及び頭皮洗浄用シャワーヘッド。
【請求項２】
洗浄される頭の前頭部、頭頂部及び後頭部を向いた複数のノズル部材が装着されたヘッド本体の凹球面は、装着した各ノズル部材の中心軸が前記凹球面の中心で交叉する面に形成された請求項１に記載のシャワーヘッド。
【請求項３】
各ノズル部材は、ノズル孔を設けた面が凸球面に形成されている請求項１又は２に記載のシャワーヘッド。
【請求項４】
ノズル孔は、ノズル部材の中心を基準に同心円に沿って略等間隔の角度で配置されている請求項１〜３のいずれかに記載のシャワーヘッド。
【考案の詳細な説明】
【技術分野】
【０００１】
本考案は頭髪及び頭皮洗浄用シャワーヘッドに関する。
【背景技術】
【０００２】
一般家庭や理髪店などに備えられたシャワーヘッドは、通常、ノズル孔が一口であるため、頭髪を洗浄するには、シャワーヘッドを手に持ってシャワー液が頭全体にゆきわたるようにシャワーヘッドを移動させる必要があって、頭髪全体の洗浄にはかなりの時間を要するものであった。
【０００３】
一方、理，美容院等に設置されている頭髪洗浄専用のシャワーヘッドには、例えば特許文献１に示すように、頭を洗浄するノズル孔と襟足を洗浄するノズル孔とを備えたものがある。このシャワーヘッドにおいて、頭を洗浄するノズル孔は、頭を囲むように半円状に曲げた管（以下、ノズルリングという）上に一列に設けられている。このシャワーヘッドによる頭髪の洗浄は、例えば両耳を結ぶ線を中心にして、ノズルリングを揺動させることにより、ノズル孔から噴出する洗浄水を頭の斜め上方から斜め下方に当てる、つまり、各ノズル孔から噴出される洗浄水のカーテンを前頭部、頭頂部及び後頭部に向かって動かすことによってなされている。
【０００４】
しかしながら、上記のシャワーヘッドでは、ノズルリングの位置が水槽（ボウル）に固定されているため、被験者の姿勢を変えて、頭の位置をノズルリングに正確に合わせる必要があり、洗髪準備に手間を要するばかりか、洗髪するときにも、前頭部から後頭部に向かってノズルリング揺動させながら、前頭部、頭頂部および後頭部を順次に洗浄する必要があり、その上、手探り状態でノズルリングを揺動させて後頭部を洗浄しなければならず、洗浄にかなりの手間を要する。
【特許文献１】特開２００３−１１１６１３号公報
【考案の開示】
【考案が解決しようとする課題】
【０００５】
本考案は頭髪を洗浄するためのシャワーヘッドの上記のような現状に鑑み、シャワーヘッドを手で持ったり、動かしたりすることなく、理想的な頭髪並びに頭皮の洗浄を行うことができるのみならず、そのような頭髪及び頭皮の洗浄を簡単にかつ短時間で行うことができる頭髪及び頭皮の洗浄にきわめて好適なシャワーヘッドを提供することを課題とする。
【課題を解決するための手段】
【０００６】
上記課題を解決することを目的としてなされた本考案頭髪及び頭皮洗浄用シャワーヘッドの構成は、ノズル孔が洗浄される頭の頭頂部を向いた第一のノズル部材と、ノズル孔が前頭部を向いた第二のノズル部材と、ノズル孔が後頭部に向いた第三のノズル部材と、前記の各ノズル部材が頭の外形に沿った凹球面に装着されていると共に各ノズル部材のノズル孔に洗浄液を送る通路となるチャンバを有するヘッド本体とを備えていることを特徴とするものである。
【考案の効果】
【０００７】
本考案の頭髪及び頭皮洗浄用シャワーヘッドは、ノズル孔が洗浄される頭の頭頂部を向いた第一のノズル部材と、ノズル孔が前頭部を向いた第二のノズル部材と、ノズル孔が後頭部に向いた第三のノズル部材と、前記の各ノズル部材が頭の外形に沿った凹球面に装着されていると共に各ノズル部材のノズル孔に洗浄液を送る通路となるチャンバを有するヘッド本体とを備えているので、一つのノズル孔、例えば、第一のノズル部材のノズル孔を頭頂部に向けると、第二及び第三のノズル部材のノズル孔が前頭部及び後頭部に自動的に向き、従って、シャワーヘッドを動かすことなく頭頂部、前頭部及び後頭部に対し洗浄液を同時に噴射させて頭髪及び頭皮全体を同時に洗浄することができる。これによって、きわめて適切に頭髪及び頭皮の洗浄を簡単にかつ短時間で実現できるから、理想的な頭髪及び頭皮の洗浄を合理的に行うことができる。
【考案を実施するための最良の形態】
【０００８】
次に、本考案頭髪及び頭皮洗浄用シャワーヘッドの実施例を添付図を参照して説明する。添付図において、図１は本考案頭髪及び頭皮洗浄用シャワーヘッドの一例の斜視図、図２は図１に示す頭髪洗浄用シャワーヘッドの正面図、図３は図２の３−３線に沿う縦断面図、図４は使用状態を説明するための側面図、図５は頭髪洗浄装置の一例に組み込んだ状態の概略を示す側面図である。
【０００９】
図１に示すように、実施態様として説明する本考案による頭髪及び頭皮洗浄用シャワーヘッド１０は、一例として自動洗髪装置に組み込まれるものであり、圧力液（洗浄剤又は洗浄水、以下、単に洗浄液ということもある）の供給管１１の端部に管継手１２を介在して支持されている。圧力液供給管１１は、後で図４に拠り説明するが、水槽（ボウルともいう）６１を閉塞するヘッドカバー７１に固定された洗浄液の給排ユニットに接続されている。
【００１０】
図１に例示したシャワーヘッド１０は、図２及び図３に示すように、ベース部材２０とこのベース部材２０の背面に設けたバック部材４０からなるヘッド本体１３と、ベース部材２０の前面に配置した、この例では４個のノズル部材３０ａ〜３０ｄとから構成されている。
【００１１】
ベース部材２０は、前面壁２１、側面壁２２及び背面壁２３を有する、中空構造物からなり、４個のノズル部材３０ａ〜３０ｄを取付けるための装着孔２４ａ〜２４ｄが前面壁２１に設けられている。前面壁２１の前面２１’は、一例として、人の頭を包むことができる半径を約１６０ｍｍ前後とする凹球面に形成され、４個の装着孔２４ａ〜２４ｄがこの凹球面に開設されている。図２に例示したように、装着孔２４ａと２４ｂは上下に配置され、装着孔２４ｃと２４ｄは装着孔２４ａの上方に位置付けて左右に並べて配置されている。これらの装着孔２４ａ〜２４ｄは、それぞれの中心軸が、前面壁２１の凹球面に対して直角に配置され、各中心軸が、この凹球面の中心で交叉するように配置されている。各装着孔２４ａ〜２４ｄの内周面はテーパ状の担持面２５ａ〜２５ｄに形成されている。
【００１２】
上記の各装着孔２４ａ〜２４ｄに装着される４個のノズル部材３０ａ〜３０ｄは各装着孔２４ａ〜２４ｄの内周面がなすテーパ状の担持面２５ａ〜２５ｄに嵌まる外周面を備えた同一形状で、緩いドーム状の本体３１ａ〜３１ｄに形成されている。
ノズル部材３０ａ〜３０ｄのうち、上下に配置された２個のノズル部材３０ａ，３０ｂの本体３１ａ，３１ｂは、中央にねじ孔をもつねじ座３２ａ，３２ｂと、その周囲に多数のノズル孔３３ａ，３３ｂを有している。各ノズル孔３３ａ，３３ｂは、外面側（出口側）の直径が内面側（入口側）の直径よりも小さく形成され、各孔の中心軸が本体３１ａ，３１ｂがなすドーム状の中心を通る向きで本体３１ａ，３１ｂに設けられている。
【００１３】
ここで、ノズル孔３３ａ，３３ｂは、本体３１ａ，３１ｂのドームの中心を通る軸を中心にした同心的に配置されている。そして、最も内側に位置するノズル孔３３ａ，３３ｂが等角度間隔で８個、最も外側に位置するノズル孔３３ａ，３３ｂが等角度間隔で８個、中間のノズル孔３３ａ，３３ｂが等角度間隔で６個、それぞれ配置されている。なお、本体３１ａ，３１ｂの外周面は、担持面２５ａ，２５ｄに嵌まるテーパ状の座面３４ａ〜３３ｄを形成されている。なお、ノズル部材３０ａの上部に位置する２つのノズル部材３０ｃ，３０ｄも、上記のノズル部材３０ａ，３０ｂと同じ構成のノズル孔３３ｃ，３３ｄを有する。
【００１４】
ベース部材２０に対する上記のノズル本体３１ａと３１ｂの装着は、座面３４ａ，３４ｂをベース部材２０の担持面２５ａ，２５ｂにテーパー嵌合させ、ねじ座３２ａ，３２ｂをベース部材２０の背面壁２３から延びるねじ座２６ａ，２６ｂに当てると共に、小ねじ３５ａ，３５ｂをねじ込んで、ねじ座３２ａ，３２ｂ及びねじ座２６ａ，２６ｂとを締結することでなされている。なお、ノズル本体３１ｃ，３１ｄも、上記本体３１ａ，３１ｂと同じ態様でベース部材２０に装着されている。これにより、各ノズル部材３０ａ〜３０ｄは一つの凹球面の前面壁２１の上に、その凹球面の中心を向いてベース部材２０に配置されている。
【００１５】
バック部材４０は、外面中央にボス４１を一体に形成された球面状の本体４２を有しており、内面にはベース部材２０の背面壁２３にある開口２７に嵌合する突起４３が一体に形成されている。ベース部材２０に対する固定は、本体４２の周縁のフランジ部とベース部材の後部開口の周縁のフランジとを小ねじ４４によって締結することでなされている。ボス４１には管ねじをもつ貫通孔４５が設けられており、この貫通孔４５が、バック部材４０を取付けてベース部材２０を密閉することによって形成された洗浄液の通路となるチャンバ５０に接続されている。バック部材４０から延びる脚４６は、ねじ座２６ａを支持するためのもので、チャンバ５０内に水路を形成するため、互いに隙間を保って配置されている。ねじ座２６ｂ，２６ｃは、ノズル部材３０ｄに対するねじ座も含めて、ベース部材２０の背面壁２３と一体に形成されており、以上により、本考案による頭髪及び頭皮洗浄用のシャワーヘッドの一例を形成する。
【００１６】
以上に説明した本考案シャワーヘッドは、図２，図３に例示するように、正面から見てほぼ逆三角形状をなすヘッド本体１３の前面がなす凹球面に、４個のノズル部材３０ａ〜３０ｄを取付けた形態として示したが、本考案シャワーヘッドは図示して説明した例に限られるものではない。
すなわち、ヘッド本体１３の正面形状は、逆三角形に限られず、例えばほぼ長方形状，縦長の逆台形状，長円形状などの正面形状である。また、そのような形状のヘッド本体１３に装着されるノズル本体３０ａ〜３０ｄも、その装着数や装着レイアウトが、図示した例に限られず、頭頂部，前頭部，後頭部のほぼ全域にシャワー液を同時に噴射できる装着個数と装着レイアウトを採ることができる。
【００１７】
また、本考案シャワーヘッドは、頭髪，頭皮を洗浄しようとする者が自分の手で持って公知のシャワーヘッドと同じように使用するハンドタイプ、浴室やシャワールームなどの壁面に、着脱自在や首振り自在などの取付態様で設けた壁等への設置タイプ、或は、後述する洗髪装置などの装置に搭載する搭載タイプとして設け、様々な態様により利用できるように形成することができる。また、いずれのタイプにおいても、本考案シャワーヘッドは、電気を用いないので設置作業も楽であるのみならず、安全であり電気的トラブルなども生じようがない。
【００１８】
次に、本考案シャワーヘッドを、図５に例示するような頭髪洗浄装置に組込んだ例について説明する。図５の洗浄装置において、水槽６１は、上部を開放した水槽（又はボウル）の形態を有し、水槽台６２に設置されている。水槽台６２は平行リンク６３によってベース６４に支持され、実線で示す使用位置と二点鎖線で示す格納位置との間を回動することができる。椅子は座部６５及び揺動可能な背部６６からなる。座部６５の両側面には支持アーム６７が配置されている。支持アーム６７はアームピン６８を中心に回動することができる。支持アーム６７の自由端は、背部６６の両側に延び、かつ背部６６に固定されている。手すり６９は、背部６６に固定されていると共に、背部６６と一緒に手すり軸６９’を中心にベース６４の上で回動することができる。
【００１９】
図５において、本考案シャワーヘッドは、全体を参照符号１０によって示され、ヘッドカバー７１の内側に配置されている。ヘッドカバー７１は、下面が開放された略半球状の形態をもつもので、一端をヒンジ７２によって水槽６１に開閉自在に取付けられ、ヒンジ７２を中心に反時計方向に回動することによって、水槽６１の上面を開放することができる。ヘッドカバー７１の内部にはシールド７７が設けられている。
【００２０】
図５の本考案シャワーヘッド１０は、図１に示すように、管継手１２を介在して圧力水供給管１１に取付けられ、圧力水供給管１１の端部（図示を省略）が、図５のヘッドカバー７１に固定された給水ユニット７３に接続されている。一方、給水ユニット７３は管継手７４，７５などを介して図示を省略した水ポンプ、温水タンクなどに接続されている。
【００２１】
図５の座部６５，背部６６に仰向けに寝た被験者の頭髪の洗浄は、ヘッドカバー７１を開けて、図１に示すように、被験者の首部を水槽６１の縁にある受け部に載せ、頭Ｈを水槽６１の内部に位置付けたあと、ヘッドカバー７１を閉め、温水や洗浄剤などの洗浄液を本考案シャワーヘッド１０に供給することでなされる。
【００２２】
本考案シャワーヘッドは、ヘッドカバー７１を閉じたとき、図１に例示するように、中央にあるノズル部材３０ａが頭頂部付近に、上部にある２個のノズル部材３０ｂ，３０ｃが前頭部付近の両側に、そして、下部にあるノズル部材３０ｄが後頭部付近に位置付けられる。そして、シールド７７が前頭部と襟とを結ぶ線を境にしてヘッドカバー７１の内部を仕切っている。
【００２３】
シャワーヘッド１０に温水等の洗浄液が供給されると、図４の模式的な側面図に示すように、中央にあるノズル部材３０ａのノズル孔３３ａからはシャワー液７６ａが頭頂部付近に噴出し、上部にある２個のノズル部材３０ｃ，３０ｄのノズル孔３３ｃ，３３ｄからはシャワー液７６ｃ，７６ｄが前頭部付近の両側に噴出し、下部にあるノズル部材３０ｂのノズル孔３３ｂからはシャワー液７６ｂが後頭部付近に噴出する。図４は、頭の垂直方向の状態（側面から見た状態）を模式的に示したものであるが、水平方向においてもノズル孔３３ａからのシャワー液が頭頂部に噴出され、ノズル孔３３ｂ，３３ｃからのシャワー液が前頭部側面に噴出し、被験者の頭頂部、前頭部及び後頭部の全体にこれらのシャワー液が同時に降りかかるので、頭髪全体がこれらのシャワー液によって同時に洗浄される。このとき、シールド７７が洗浄中の頭髪と顔とを仕切り、各ノズル孔からのシャワー液７６ａ〜７６ｄが顔に飛散するのを阻止する。
【産業上の利用可能性】
【００２４】
本考案シャワーヘッドは、中央にあるノズル部材３０ａが被験者の頭頂部付近に、上部にある２個のノズル部材３０ｃ，３０ｄが前頭部付近の両側に、下部にあるノズル部材３０ｂが後頭部付近に位置するので、頭髪や頭皮の洗浄準備は、シャワーヘッドを頭に近けて配置するだけでよく、従って、簡単にかつ短時間で洗浄準備を行うことができる。
【００２５】
また、洗浄中、シャワーヘッドをまったく動かさなくても、被験者の頭髪全体或は頭皮全体の洗浄を自動的に行うことができるので、被験者は勿論、介添えの者（係員）も全く洗浄作業に携わらなくてもよく、係員は次の作業の準備を行うことができて能率的である。なお、ヘッドカバー７１を閉じた状態で被験者の頭髪を自動的に洗浄し、シャワー液あるいは洗浄水が外部に飛散しないようにすることにより、洗浄準備を簡単にかつ短時間で行うことができることと相俟って、被験者及び係員の負担も最小限に抑えることができる。
【００２６】
以上の説明では、本考案シャワーヘッドを図５に例示した特定構造の頭髪洗浄装置に組み込んで使用したが、他の構造をもつ頭髪洗浄装置に組み込んでもよく、更に、頭のサイズや形状に応じて、被験者の頭に対するシャワーヘッドの位置を微調整できるように構成することもできる。また、本考案シャワーヘッドは、被験者や係員が手に持って使用する使用形態をとることもでき、従って、本考案の範囲を逸脱しない範囲での変更、改造などを施すことも任意である。
【図面の簡単な説明】
【００２７】
【図１】本考案頭髪及び頭皮洗浄用シャワーヘッドの一例の斜視図。
【図２】図１に示す頭髪及び頭皮洗浄用シャワーヘッドの正面図。
【図３】図２の３−３線に沿う縦断面図。
【図４】使用状態を説明するための側面図。
【図５】頭髪洗浄装置の一例に組み込んだ状態の概略を示す側面図。
【符号の説明】
【００２８】
１０            シャワーヘッド
１１            圧力液供給管
１２            管継手
１３            ヘッド本体
２０            ベース部材
２１            前面壁
２１’          前面
２２            側面壁
２３            背面壁
２４ａ〜２４ｄ  装着孔
２５ａ，２５ｂ  担持面
２６ａ，２６ｂ  ねじ座
２７            開口
３０ａ〜３０ｄ  ノズル部材
３１ａ〜３１ｄ  ノズル部材の本体
３２ａ，３２ｂ  ねじ座
３３ａ〜３３ｄ  ノズル孔
３４ａ，３４ｂ  座面
３５            小ねじ
４０            バック部材
４１            ボス
４２            バック部材の本体
４３            突起
４４            小ねじ
４５            貫通孔
４６            脚
５０            洗浄液チャンバ
６１            水槽
６２            水槽台
６３            平行リンク
６４            ベース
６５            座部
６６            背部
６７            支持アーム
６８            アームピン
６９            手すり
６９’          手すり軸
７１            ヘッドカバー
７２            ヒンジ
７３            給水ユニット
７４，７５      管継手
７６ａ〜７６ｂ  シャワー液
７７            シールド
【図１】
0003113648.tif 000003
【図２】
0003113648.tif 000004
【図３】
0003113648.tif 000005
【図４】
0003113648.tif 000006
【図５】
0003113648.tif 000007